(57)【特許請求の範囲】
【請求項１】
扱胴を軸支した上部ケースを下部ケースに対して、上下に揺動開閉自在に構成した脱穀装置において、
前記上部ケースのうちの、前記扱胴を上方から覆う扱室の天板部分を形成する扱胴カバーを、前記上部ケースのうちの前記扱胴を軸支している下部部分に対して上下揺動開閉自在に構成すると共に、
前記扱胴カバーの開閉用の揺動軸芯と、前記扱胴昇降用の前記下部部分の揺動軸芯とを同軸芯に設定して、前記上部ケースの下部部分を前記下部ケースに対して上下揺動自在に構成し、
前記上部ケースの下部部分と扱胴カバーとを係合連結及び係合解除自在に構成するとともに、前記上部ケースの上方への持ち上げ補助力を与えるガススプリングを、前記下部ケースと扱胴カバーとの間に設けてある脱穀装置。
【発明の詳細な説明】
【０００１】
【発明の属する技術分野】
本発明は、コンバイン等に搭載装備される脱穀装置に関する。
【０００２】
【従来の技術】
従来より、この種の脱穀装置にあっては、例えば特開平９‐２０５８５８号公報に開示されているように、その扱室を開放して、扱胴や、受網に対するメンテナンスを行えるように、扱胴とこの扱胴の上側を覆う扱胴カバーとを一体的に上方に持ち上げ揺動可能に構成したものが周知である。
【０００３】
【発明が解決しようとする課題】
しかしながら、上記従来構造の脱穀装置は、扱胴と扱胴カバーとを一体的に上方に持ち上げるものであるから、扱胴と扱胴カバーの内面側との間の空間部が開放されるものでなく、その扱胴カバーの内奥箇所に配設されている藁切り刃の交換等をする場合には、扱胴を扱胴カバーから取り外して、扱胴カバーを開放状態にしなければならないので煩わしい作業となっていた。
【０００４】
本発明は、上記実情に鑑みてなされたものであって、扱胴や受網に対するメンテナンスのみならず、扱胴カバーと扱胴との間に対するメンテナンスも簡易に行うことのできる脱穀装置の提供を目的とする。
【０００５】
【課題を解決するための手段】
（構成）  本発明の請求項１にかかる脱穀装置は、扱胴を軸支した上部ケースを下部ケースに対して、上下に揺動開閉自在に構成した脱穀装置において、前記上部ケースのうちの、前記扱胴を上方から覆う扱室の天板部分を形成する扱胴カバーを、前記上部ケースのうちの前記扱胴を軸支している下部部分に対して上下揺動開閉自在に構成すると共に、前記扱胴カバーの開閉用の揺動軸芯と、前記扱胴昇降用の前記下部部分の揺動軸芯とを同軸芯に設定して、前記上部ケースの下部部分を前記下部ケースに対して上下揺動自在に構成し、前記上部ケースの下部部分と扱胴カバーとを係合連結及び係合解除自在に構成するとともに、前記上部ケースの上方への持ち上げ補助力を与えるガススプリングを、前記下部ケースと扱胴カバーとの間に設けてあることを特徴構成とする。
【０００６】
（作用）  本発明の請求項１にかかる構成によれば、扱胴を軸支した上部ケースを揺動開閉自在に構成するに当たって、扱室の天板部分を形成する扱胴カバーと、扱胴を軸支している下部部分とで構成される上部ケース全体を下部ケースに対して上下に揺動開閉することができるとともに、上部ケースのうちの扱胴カバーを上部ケースの下部部分に対して持ち上げ揺動開閉自在にしているから、上部ケースのうち、扱胴を軸支している下部部分を持ち上げずに扱胴カバーのみを持ち上げた状態にできるものとなっている。よって、そのように上部ケースのうちの扱胴カバーのみ持ち上げた状態で扱室の天板部分を形成する扱胴カバーの内面側のメンテナンスを行えることになる。また、扱胴も持ち上げることで扱室を開放できて、従来通りに受網や扱胴に対するメンテナンスも行える。
また、扱胴カバーの開閉用の揺動軸芯と、扱胴昇降用の下部部分の揺動軸芯とを同軸芯に設定して、上部ケースの下部部分を下部ケースに対して上下に揺動できるようにしてあるから、それぞれの揺動軸芯を別々に設定するものと比較して、扱胴カバーや上部ケースの下部部分を各別に軸支する際のブラケットを共用できることになって、部品点数を低減できるとともに、それらを持ち上げるための把手も近接して配置可能であるので、扱胴カバーも上部ケースの下部部分も開閉操作し易いものにできる。
【０００７】
（効果）  従って、本発明の請求項１にかかる構成によれば、従来においては扱胴を外さないとメンテナンスすることが難しかった扱胴カバーの内面側箇所に対するメンテナンスも、扱胴カバーを揺動開放するだけの簡易な開放操作で行えるようになり、その開放作業の煩わしさを解消できることで、作業性を向上できるものとなった。
また、部品点数の低減によるコスト低下を図ることができるとともに、扱胴を軸支する上部ケースの下部部分及び扱胴カバーに対する開閉作業が簡易迅速に行え、作業性の向上を一層図ることができる。
【０００８】
【０００９】
【００１０】
【００１１】
【００１２】
【発明の実施の形態】
以下、本発明の実施の形態を図面に基づいて説明する。
図１に、本発明にかかる脱穀装置４を搭載装備するコンバインを示している。このコンバインは、左右一対のクローラ走行装置１，１に支持される機体フレーム２の前端部に刈取前処理装置３を昇降自在に装着するとともに、機体フレーム２に、脱穀装置４、搭乗運転部５、穀粒回収装置６等を搭載装備して構成している。
【００１３】
そして、図１及び図２に示すように、脱穀装置４は、刈取前処理装置３で刈取処理された穀稈をフィードチェーン７で挟持しながら後方に搬送していく際に、扱胴８によって脱穀処理するように構成している。詳述すると、図２及び図３に示すように、扱胴８は、選別機構Ｓを備えた下部ケース９に対して前後方向に沿う軸芯Ｘ１周りで揺動開閉自在に支持されている上部ケース１０に、前後方向に沿う軸芯Ｘ２周りで回転駆動されるように軸支している。すなわち、上部ケース１０における前後の側壁１０Ｆ，１０Ｒ間に、回転駆動可能に扱胴８を軸支しているのであって、上部ケース１０は、機体内奥側の上位箇所に設定されている前後方向に沿う軸芯Ｘ１周りで揺動開閉可能に、下部ケース９に対して軸支されている。
【００１４】
また、上部ケース１０における扱胴８の上方を覆う扱胴カバー１１、すなわち扱室の天板部分は、図５及び図６に示すように、この上部ケース１０の扱胴８を軸支する部分に対して上下揺動開閉自在に構成している。詳述すると、扱胴カバー１１は、前記軸芯Ｘ１と同軸芯周りで揺動自在に、つまり下部ケース９に固定設置している前後方向に沿う支軸１２に、上部ケース１０を前後２箇所で軸支しているとともに、同じく支軸１２に扱胴カバー１１を前後２箇所で軸支している。この扱胴カバー１１の扱室内に臨む内面には、藁切り刃１３を付設している。
【００１５】
図３乃至図６に示すように、上部ケース１０の前記側壁１０Ｆ，１０Ｒには、それぞれ前後方向に沿う軸芯Ｘ３周りで揺動自在にアーム１４，１４を軸支しているとともに、この揺動アーム１４，１４の一方の遊端部には、下部ケース９の前後２箇所にそれぞれ設けた係合ピン１５，１５に対して、上部ケース１０が閉止位置にあるときに揺動アーム１４，１４の揺動操作に伴って係脱自在なフック１６，１６を形成している。一方、揺動アーム１４，１４の他方の遊端部は、人手操作で揺動アーム１４，１４を揺動操作するための操作ノブ１７，１７を設けている。そして、各揺動アーム１４，１４と、それを軸支する各側壁１０Ｆ，１０Ｒとにわたってスプリング１８，１８を架設しており、このスプリング１８によって揺動アーム１４のフック１６が係合ピン１５に係合される側に揺動アーム１４を弾性付勢するように設定しているとともに、この係合を解除して揺動アーム１４，１４を上方に持ち上げる際にスプリング１８，１８を介して持ち上げ力が上部ケース１０に作用するようにしている。尚、図中、１９は、上部ケース１０の上方への持ち上げの補助力を与えるガススプリングである。
【００１６】
図３乃至図７に示すように、扱胴カバー１１には、前後方向に沿う軸芯Ｘ４周りで揺動操作自在な門型のハンドル２０を軸支している。さらに、扱胴カバー１１が扱胴８上部を覆って上部ケース１０を閉止して、前記ハンドル２０を下限位置に下ろしている状態のときに、前記軸芯Ｘ４周りで回動自在に支持された一対のフック２１，２１が、巻きバネによって、上部ケース１０の前記各側壁１０Ｆ，１０Ｒ間に架設している係合バー２２に係合するように弾性付勢されるよう設けている。そして、その状態で、ハンドル２０を軸芯Ｘ４周りで上方に持ち上げ揺動すると、このハンドル２０と一体に軸芯Ｘ４周りで揺動する一対の押圧アーム２４，２４によって、フック２１，２１の係合が解除され（図７（イ）及び（ロ）参照）、そのままさらにハンドル２０を持ち上げることで扱胴カバー１１を開放するよう持ち上げることになる。
【００１７】
これにより、藁切り刃１３の交換等を行う場合は、上部ケース１０の全体を上方に開放しないで、ハンドル２０のみを操作してフック２１，２１を係合ピン２２，２２から係合解除して上方に持ち上げ操作することによって、扱胴カバー１１のみ開放状態にすることができる。尚、扱胴８や扱胴８下方の受網２３に対してメンテナンスする場合は、揺動アーム１４，１４を操作することによって、上部ケース１０の全体を開放姿勢とするべく、上方に持ち上げ揺動することになる。
【００１８】
〔別の実施の形態〕
（１）上記実施の形態においては、扱胴カバーと上部ケースとのそれぞれの揺動開閉軸芯を共通に設定するものを示したが、例えば扱胴カバーの上部ケースに対する揺動軸芯を、上部ケースの下部ケースに対する揺動軸芯とは直交する方向に設定する等、互いの揺動軸芯が異なるものや、或いは平行に設定しても良い。
【図面の簡単な説明】
【図１】  コンバインを示す全体側面図
【図２】  コンバインの脱穀装置を示す縦断側面図
【図３】  共に閉止姿勢の上部ケース及び扱胴カバー等を示す縦断後面図
【図４】  開放姿勢の上部ケースと閉止姿勢の扱胴カバー等を示す縦断後面図
【図５】  閉止姿勢の上部ケースと開放姿勢の扱胴カバー等を示す縦断後面図
【図６】  共に閉止姿勢の上部ケース及び扱胴カバー等を示す斜視図
【図７】  扱胴カバーの開閉操作用のハンドル等が閉止姿勢の状態（イ）と閉止姿勢の解除状態（ロ）を示す縦断後面図
【符号の説明】
８    扱胴
９    下部ケース
１０  上部ケース
１１  扱胴カバー
１９  ガススプリング
Ｘ１  軸芯
【図１】
0004301586.tif 000002
【図２】
0004301586.tif 000003
【図３】
0004301586.tif 000004
【図４】
0004301586.tif 000005
【図５】
0004301586.tif 000006
【図６】
0004301586.tif 000007
【図７】
0004301586.tif 000008